(57)【特許請求の範囲】
【請求項１】
上下の高さを有してトウヒール方向に延在するフェース部と前記フェース部の下部から後方に延在するソール部とを含むヘッド本体を備えるゴルフクラブヘッドであって、
打球時の前記フェース部の倒れを抑制する倒れ抑制部が、前記フェース部の後方に位置する前記ヘッド本体の箇所に、前記フェース部の裏面と前記ソール部とにわたって、かつ、トウヒール方向にわたって設けられ、
前記倒れ抑制部の後方に位置する前記ソール部の箇所に、前記フェース部の上部が前記フェース部の下部に対して後方に変位する方向の前記フェース部の倒れを促進する弾性変形部が設けられている、
ことを特徴とするゴルフクラブヘッド。
【請求項２】
前記弾性変形部は、前記弾性変形部が設けられていない前記ソール部の箇所の肉厚の２５％以上５０％以下の肉厚の薄肉部で形成されている、
ことを特徴とする請求項１記載のゴルフクラブヘッド。
【請求項３】
前記ソール部にトウヒール方向に延在する溝が形成され、
前記薄肉部は前記溝の底部で構成され、
前記溝の前後方向の幅が１ｍｍ以上７ｍｍ以下であり、
前記溝の深さが１ｍｍ以上６ｍｍ以下である、
ことを特徴とする請求項２記載のゴルフクラブヘッド。
【請求項４】
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面としたとき、
前記弾性変形部は、前記フェース中心基準断面を中心としてトウヒール方向に延在すると共に、前記弾性変形部のトウヒール方向に沿った長さが３０ｍｍ以上である、
ことを特徴とする請求項１から３の何れか１項記載のゴルフクラブヘッド。
【請求項５】
前記弾性変形部よりも後方の前記ヘッド本体の箇所に、前記ヘッド本体の全体の質量の１０％以上３０％未満の質量を有するウェイト部が設けられている、
ことを特徴とする請求項１から４の何れか１項記載のゴルフクラブヘッド。
【請求項６】
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面としたとき、
前記フェース中心基準断面において、前記リーディングエッジと前記弾性変形部を前記水平面に投影したとき、前記リーディングエッジ４２から後方に１０ｍｍ以上３０ｍｍ以下の範囲内に前記弾性変形部が位置している、
ことを特徴とする請求項１から３の何れか１項記載のゴルフクラブヘッド。
【請求項７】
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、
前記フェース中心基準断面および前記水平面と直交する平面を基準鉛直面とし、
前記弾性変形部を前記基準鉛直に投影したとき、
前記弾性変形部は前記水平面から上方に０ｍｍ以上１８ｍｍ以下の範囲内に位置している、
ことを特徴とする請求項１から３の何れか１項記載のゴルフクラブヘッド。
【請求項８】
前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、
前記ゴルフクラブヘッドの重心点を通る前記フェース面の法線が前記フェース面を交差する点をフェース面上重心点とし、
前記水平面からの前記フェース面上重心点までの高さをフェース面上重心点高さＦＧＨとし、
前記フェース中心基準断面において、前記水平面から前記ヘッド本体の最も上方に位置する箇所までの高さをヘッド高さとしたとき、
前記フェース面上重心点高さが前記ヘッド高さの４０％以上６０％以下である、
ことを特徴とする請求項１から３の何れか１項記載のゴルフクラブヘッド。
【発明の詳細な説明】
【技術分野】
【０００１】
本発明はゴルフクラブヘッドに関する。
【背景技術】
【０００２】
キャビティ型のアイアンゴルフクラブヘッドとして、ソール部のキャビティ部側表面に沿ってフェース部に沿って延在する溝を設けることで、打球時のソール部の変形を促進し、フェース部のたわみ量の向上を確保し、飛距離の向上を図るようにしたものが提案されている（特許文献１参照）。
【先行技術文献】
【特許文献】
【０００３】
【特許文献１】特許第特許第３６５８３９３号公報
【発明の概要】
【発明が解決しようとする課題】
【０００４】
しかしながら、上記従来技術では、打球時にフェース部が後方に倒れる変形を生じるため、ボールがフェース面に接触する打球位置の軌跡が時間経過と共に下方に変位することがわかった。
そのため、フェース面からボールに与えられるギア効果によりボールに対してバックスピンが過剰に付与されることから、打球されたボールが吹き上がる傾向（過剰に上昇する傾向）となりがちであり、そのため、飛距離の向上を図る上で改善の余地がある。
本発明は、このような事情に鑑みてなされたものであり、その目的は、ボールに付与されるバックスピン量を適切に制御でき飛距離を向上を図る上で有利なゴルフクラブヘッドを提供することにある。
【課題を解決するための手段】
【０００５】
上記目的を達成するために、請求項１記載の発明は、上下の高さを有してトウヒール方向に延在するフェース部と前記フェース部の下部から後方に延在するソール部とを含むヘッド本体を備えるゴルフクラブヘッドであって、打球時の前記フェース部の倒れを抑制する倒れ抑制部が、前記フェース部の後方に位置する前記ヘッド本体の箇所に、前記フェース部の裏面と前記ソール部とにわたって、かつ、トウヒール方向にわたって設けられ、前記倒れ抑制部の後方に位置する前記ソール部の箇所に、前記フェース部の上部が前記フェース部の下部に対して後方に変位する方向の前記フェース部の倒れを促進する弾性変形部が設けられていることを特徴とする。
請求項２記載の発明は、前記弾性変形部は、前記弾性変形部が設けられていない前記ソール部の箇所の肉厚の２５％以上５０％以下の肉厚の薄肉部で形成されていることを特徴とする。
請求項３記載の発明は、前記ソール部にトウヒール方向に延在する溝が形成され、前記薄肉部は前記溝の底部で構成され、前記溝の前後方向の幅が１ｍｍ以上７ｍｍ以下であり、前記溝の深さが１ｍｍ以上６ｍｍ以下であることを特徴とする。
請求項４記載の発明は、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面としたとき、前記弾性変形部は、前記フェース中心基準断面を中心としてトウヒール方向に延在すると共に、前記弾性変形部のトウヒール方向に沿った長さが３０ｍｍ以上であることを特徴とする。
請求項５記載の発明は、前記弾性変形部よりも後方の前記ヘッド本体の箇所に、前記ヘッド本体の全体の質量の１０％以上３０％未満の質量を有するウェイト部が設けられていることを特徴とする。
請求項６記載の発明は、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面としたとき、前記フェース中心基準断面において、前記リーディングエッジと前記弾性変形部を前記水平面に投影したとき、前記リーディングエッジ４２から後方に１０ｍｍ以上３０ｍｍ以下の範囲内に前記弾性変形部が位置していることを特徴とする。
請求項７記載の発明は、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、前記フェース中心基準断面および前記水平面と直交する平面を基準鉛直面とし、前記弾性変形部を前記基準鉛直に投影したとき、前記弾性変形部は前記水平面から上方に０ｍｍ以上１８ｍｍ以下の範囲内に位置していることを特徴とする。
請求項８記載の発明は、前記ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース中心基準断面とし、前記ゴルフクラブヘッドの重心点を通る前記フェース面の法線が前記フェース面を交差する点をフェース面上重心点とし、前記水平面からの前記フェース面上重心点までの高さをフェース面上重心点高さとし、前記フェース中心基準断面において、前記水平面から前記ヘッド本体の最も上方に位置する箇所までの高さをヘッド高さとしたとき、前記フェース面上重心点高さが前記ヘッド高さの４０％以上６０％以下であることを特徴とする。
【発明の効果】
【０００６】
請求項１記載の発明によれば、打球時、倒れ抑制部によりフェース部のリーディングエッジの位置を支点とする倒れが抑制される一方、倒れ抑制部よりも後方に位置する弾性変形部によりフェース部の倒れが促進され、フェース部が弾性変形部を支点として後方に倒れるように変形する。
そのため、フェース面上における打点位置軌跡が時間経過と共に下方に移動する距離が極めて少ないため、フェース面からボールに作用するギア効果が抑制され、ボールに対して付与されるバックスピン量を適切に制御できることから、打球されたボールの吹き上がりを抑制する有利となる。
したがって、打ち出し角を高く確保しバックスピン量を適切に制御することにより飛距離の向上を図る上で有利となる。
また、倒れ抑制部および弾性変形部を簡単に構成する上で有利となる。
請求項２から８記載の発明によれば、フェース部が弾性変形部を支点として倒れる量を確保できるため、打ち出し角を高く確保しバックスピン量を適切に制御することにより飛距離の向上を図る上でより有利となる。
【図面の簡単な説明】
【０００７】
【図１】第１の実施の形態に係るゴルフクラブヘッドをフェース面の前方から見た正面図である。
【図２】図１のＡ矢視図である。
【図３】図１の平面Ｘで破断したフェース中心基準断面Ｐｆｃの断面図である。
【図４】フェース面の中心点Ｐｃの規定方法を示す第１の説明図である。
【図５】フェース面の中心点Ｐｃの規定方法を示す第２の説明図である。
【図６】フェース面の中心点Ｐｃの規定方法を示す第３の説明図である。
【図７】フェース面の中心点Ｐｃの規定方法を示す第４の説明図である。
【図８】ゴルフクラブヘッドの重心点Ｇ０とフェース面上重心点ＦＧとの関係を示すゴルフクラブヘッドの断面図である。
【図９】フェース面の輪郭線Ｉの定義を説明するゴルフクラブヘッドの正面図である。
【図１０】フェース面の輪郭線Ｉの定義を説明するゴルフクラブヘッドの断面図である。
【図１１】フェース面の中心点Ｐｃの定義を説明するゴルフクラブヘッドの正面図である。
【図１２】（Ａ）は倒れ抑制部および弾性変形部を有さない比較例のアイアン型のゴルフクラブヘッドの断面図、（Ｂ）は比較例のゴルフクラブヘッドにおいて打球直後およびボールが離れる直前におけるヘッド本体の形状の変化を示す説明図である。
【図１３】第１の実施の形態において打球直後およびボールが離れる直前におけるヘッド本体の形状の変化を示す説明図である。
【図１４】（Ａ）は比較例において、打球直後からボールがフェース部から離れるまでのフェース面の位置と打点位置軌跡とを時間経過と共に測定した結果の一例を示す図、（Ｂ）は、第１の実施の形態において、打球直後からボールがフェース部から離れるまでのフェース面の位置と打点位置軌跡とを時間経過と共に測定した結果の一例を示す図である。
【図１５】第２の実施の形態に係るゴルフクラブヘッドのフェース中心基準断面Ｐｆｃの断面図である。
【図１６】第３の実施の形態に係るゴルフクラブヘッドをフェース面の前方から見た正面図である。
【図１７】図１６のＡ矢視図である。
【図１８】図１６の平面Ｘで破断したフェース中心基準断面Ｐｆｃの断面図である。
【図１９】実験例１から実験例１２の評価結果を示図である。
【図２０】実験例１３から実験例２３の評価結果を示す図である。
【図２１】実験例２４から実験例３４の評価結果を示す図である。
【図２２】（Ａ）は実験例３のゴルフクラブヘッドの断面図、（Ｂ）は実験例４のゴルフクラブヘッドの断面図、（Ｃ）は実験例８のゴルフクラブヘッドの断面図、（Ｄ）は実験例１０のゴルフクラブヘッドの断面図、（Ｅ）は実験例１１のゴルフクラブヘッドの断面図である。
【図２３】（Ａ）は実験例１４のゴルフクラブヘッドの断面図、（Ｂ）は実験例１５のゴルフクラブヘッドの断面図、（Ｃ）は実験例２４のゴルフクラブヘッドの断面図、（Ｄ）は実験例２５のゴルフクラブヘッドの断面図、（Ｅ）は実験例２８のゴルフクラブヘッドの断面図である。
【図２４】（Ａ）は実験例３５のゴルフクラブヘッドの断面図、（Ｂ）は実験例３６のゴルフクラブヘッドの断面図、（Ｃ）は実験例３７のゴルフクラブヘッドの断面図、（Ｄ）は実験例３８のゴルフクラブヘッドの断面図である。
【図２５】複合構造のゴルフクラブヘッドの分解図であり、平面視した状態を示す。
【発明を実施するための形態】
【０００８】
（第１の実施の形態）
次に本発明の実施の形態について図面を参照して説明する。
まず、ゴルフクラブヘッドが中空構造のアイアンゴルフクラブヘッドである場合について説明する。
【０００９】
図１から図３に示すように、ゴルフクラブヘッド１０は、ヘッド本体１２を備え、ヘッド本体１２は、フェース部１４と、バックフェース部１６と、ブレード部１８と、サイド部２０と、ソール部２４、ウェイト部２２と、ホーゼル２６とを有している。
図１に示すように、フェース部１４は、上下の高さを有してトウヒール方向に延在しており、フェース部１４の前面がボールを打球するフェース面１４Ａとなっている。
フェース面１４Ａには上下に間隔をおいて左右方向に延在する複数のスコアライン２８が設けられている。
バックフェース部１６は、フェース部１４の後方でフェース部１４に対向し上下の高さを有して左右に延在している。
ブレード部１８は、フェース部１４の上部とバックフェース部１６の上部とを接続している。
サイド部２０は、フェース部１４のトウ側の側部とバックフェース部１６のトウ側の側部とを接続するトウ側サイド部２００２と、フェース部１４のヒール側の側部とバックフェース部１６のヒール側の側部とを接続するヒール側サイド部２００４とで構成されている。
ソール部２４は、フェース部１４の下部とバックフェース部１６の下部とを接続しバックフェース部１６よりも後方に延在し、ソール部２４の下面がソール面２４Ａとなっている。
本実施の形態では、ヘッド本体１２は、それらフェース部１４とブレード部１８とサイド部２０とバックフェース部１６とソール部２４とで囲まれた内部が中空部３１とされた中空構造を呈している。
ウェイト部２２は、後述する弾性変形部４０よりも後方のヘッド本体１２の箇所に設けられており、ウェイト部２２は、弾性変形部４０よりも後方に位置するヘッド本体１２の部分で構成されている。
ウェイト部２２は、ヘッド本体１２の全体の質量の１０％以上３０％未満の質量を有している。
また、バックフェース部１６、サイド部２０、ウェイト部２２で囲まれた空間でキャビティ部３０が構成されている。
ホーゼル２６は、ブレード部１８のヒール方向寄りの箇所に起立され、ホーゼル２６にシャフト軸Ｓの一端が挿入されて取着されることでシャフト軸がゴルフクラブヘッド１０に連結される。
なお、図中、符号３２はトウ、符号３４はヒールを示す。
【００１０】
なお、ゴルフクラブヘッド１０のうちフェース部１４を除く部分は、チタン合金、ステンレス鋼、炭素鋼等の金属材料によって一体形成されている。
フェース部１４は、チタン合金、ステンレス鋼、炭素鋼、マレージング鋼等の金属材料によって形成されている。
【００１１】
（フェース面１４Ａの中心点）
次に、フェース面１４Ａの中心点Ｐｃの規定方法について説明する。
フェース面１４Ａの中心点Ｐｃは、フェース面１４Ａの幾何学的中心であり、中心点Ｐｃの規定方法としては以下に例示する第１の規定方法、第２の規定方法を含め従来公知のさまざまな方法が採用可能である。
なお、以下の説明においては、ゴルフクラブヘッド１０がウッドである場合について説明するが、ゴルフクラブヘッド１０がアイアンであっても同様の方法が適用可能である。
【００１２】
［Ａ］フェース面１４Ａの中心点Ｐｃの第１の規定方法：
フェース面１４Ａと他のゴルフクラブヘッド１０の部分との境目が明確である場合、言い換えると、フェース面１４Ａの周縁が稜線によって特定される場合における中心点Ｐｃの規定方法である。この場合はフェース面１４Ａが明瞭に定義されることになる。
図４〜図７はフェース面１４Ａの中心点Ｐｃの規定方法を示す説明図である。
【００１３】
（１）まず、図４に示すように、ライ角およびフェース角が規定値となるように水平面ＨＰ上にゴルフクラブヘッド１０を載置する。このときのゴルフクラブヘッド１０の状態を基準状態とする。なお、ライ角およびフェース角の設定値は、例えば製品カタログに記載された値である。
【００１４】
（２）次にクラウン部３６（アイアンの場合はブレード部）及びソール部２４を結ぶ方向における仮中心点ｃ０を求める。
すなわち、図４に示すように、トウ３２およびヒール３４を結ぶ水平面ＨＰと平行な線（以下水平線という）の概略中心点と交差する垂線ｆ０を引く。
この垂線ｆ０とフェース面１４Ａの上縁とが交差するａ０点と、垂線ｆ０とフェース面１４Ａの下縁とが交差するｂ０点の中点を仮中心点ｃ０とする。
【００１５】
（３）次に図５に示すように仮中心点ｃ０を通る水平線ｇ０を引く。
（４）次に図６に示すように水平線ｇ０とフェース面１４Ａのトウ３２側の縁とが交差するｄ０点と、水平線ｇ０とフェース面１４Ａのヒール３４側の縁とが交差するｅ０点の中点を仮中心点ｃ１とする。
【００１６】
（５）次に図７に示すように仮中心点ｃ１を通る垂線ｆ１を引き、この垂線ｆ１とフェース面１４Ａの上縁とが交差するａ１点と、垂線ｆ１とフェース面１４Ａの下縁とが交差するｂ１点の中点を仮中心点ｃ２とする。
ここで、仮中心点ｃ１とｃ２とが合致したならばその点をフェース面１４Ａの中心点Ｐｃとして規定する。
仮中心点ｃ１とｃ２が合致しなければ、（２）乃至（５）の手順を繰り返す。
なお、フェース面１４Ａは曲面を呈しているため、水平線ｇ０の中点、垂線ｆ０、ｆ１の中点を求める場合の水平線ｇ０の長さ、垂線ｆ０、ｆ１の長さはフェース面１４Ａの曲面に沿った長さを用いるものとする。
そして、フェースセンターラインＣＬは、中心点Ｐｃを通りかつトウ３２−ヒール３４方向と直交する方向に延在する直線で定義される。
【００１７】
［Ｂ］フェース面１４Ａの中心点Ｐｃの第２の規定方法：
次に、フェース面１４Ａの周縁と他のゴルフクラブヘッド１０の部分との間が曲面で接続されておりフェース面１４Ａが明瞭に定義できない場合の中心点Ｐｃの定義を説明する。
【００１８】
図８に示すように、ゴルフクラブヘッド１０は中空であり、符号Ｇ０はゴルフクラブヘッド１０の重心点を示し、符号Ｌｐは重心点Ｇ０とフェース面上重心点ＦＧとを結ぶ直線であり、言い換えると、直線Ｌｐは重心点Ｇ０を通るフェース面１４Ａの垂線である。
すなわち、ゴルフクラブヘッド１０の重心点Ｇ０をフェース面１４Ａに投影した点がフェース面上重心点ＦＧである。
ここで、図９に示すように、重心点Ｇ０とフェース面上重心点ＦＧとを結ぶ直線Ｌｐを含む多数の平面Ｈ１、Ｈ２、Ｈ３、…、Ｈｎを考える。
【００１９】
ゴルフクラブヘッド１０を各平面Ｈ１、Ｈ２、Ｈ３、…、Ｈｎに沿って破断したときの断面において、図１０に示されるように、ゴルフクラブヘッド１０の外面の曲率半径ｒ０を測定する。
曲率半径ｒ０の測定に際して、フェース面１４Ａ上のフェースライン、パンチマーク等が無いものとして扱う。
曲率半径ｒ０は、フェース面１４Ａの中心点Ｐｃから外方向（図１０における上方向、下方向）に向かって連続的に測定される。
そして、測定において曲率半径ｒ０が最初に所定の値以下となる部分をフェース面１４Ａの周縁を表わす輪郭線Ｉとして定義する。
所定の値は例えば２００ｍｍである。
多数の平面Ｈ１、Ｈ２、Ｈ３、…、Ｈｎに基づいて決定された輪郭線Ｉによって囲まれた領域が、図９、図１０に示すように、フェース面１４Ａとして定義される。
【００２０】
次に、図１１に示すように、ライ角およびフェース角が規定値となるように水平な地面上（水平面ＨＰ）にゴルフクラブヘッド１０を載置する。
直線ＬＴは、フェース面１４Ａのトウ側点ＰＴを通過して鉛直方向に延在する。
直線ＬＨは、フェース面１４Ａのヒール側点ＰＨを通過して鉛直方向に延在する。
直線ＬＣは、直線ＬＴおよび直線ＬＨと平行である。直線ＬＣと直線ＬＴとの距離は、直線ＬＣと直線ＬＨとの距離と等しい。
符号Ｐｕは、フェース面１４Ａの上側点を示し、符号Ｐｄはフェース面１４Ａの下側点である。上側点Ｐｕおよび下側点Ｐｄは、いずれも直線ＬＣと輪郭線Ｉとの交点である。
中心点Ｐｃは、上側点Ｐｕと下側点Ｐｄとを結ぶ線分の中点で定義される。
【００２１】
次に、ゴルフクラブヘッド１０の各部について詳細に説明する。
図１から図３に示すように、ゴルフクラブヘッド１０を水平面ＨＰに対して予め定められたライ角およびロフト角通りに設置した基準状態とする。
基準状態において、フェース面１４Ａの中心点Ｐｃを通る法線を含みかつ水平面ＨＰと直交する平面Ｘでヘッド本体１２を破断した断面をフェース中心基準断面Ｐｆｃとする。言い換えると、フェース中心基準断面Ｐｆｃは、基準状態において、フェースセンターラインＣＬを含みかつ水平面ＨＰと直交する平面Ｘでヘッド本体１２を破断した断面であり、図３はフェース中心基準断面Ｐｆｃを示している。
【００２２】
本実施の形態では、図３に示すように、ヘッド本体１２に、倒れ抑制部３８と、弾性変形部４０とが設けられている。
倒れ抑制部３８は、フェース部１４の後方に位置するヘッド本体１２の箇所に設けられ、打球時のフェース部１４の倒れを抑制するものである。
本実施の形態では、倒れ抑制部３８は、ブレード部１８とバックフェース部１６とで構成され、言い換えると、倒れ抑制部３８は、フェース部１４の裏面１４Ｂとソール部２４とにわたって設けられている。
【００２３】
弾性変形部４０は、倒れ抑制部３８の後方に位置するヘッド本体１２の箇所に設けられ、フェース部１４の倒れを促進するものであり、弾性変形部４０は、倒れ抑制部３８の後方に位置するソール部２４の箇所に設けられている。なお、弾性変形部４０の詳細については後述する。
【００２４】
ここで倒れ抑制部３８および弾性変形部４０の作用について説明する。
図１２（Ａ）は倒れ抑制部３８および弾性変形部４０を有さない従来のアイアン型のゴルフクラブヘッド（以下比較例という）の断面図であり図３に対応している。なお、図３と同様の箇所には同様の符号を付している。
図１２（Ｂ）は比較例のゴルフクラブヘッド１０′において打球直後およびボールが離れる直前におけるヘッド本体１２の形状の変化を示す説明図である。
図１３は本実施の形態におけるゴルフクラブヘッド１０において打球直後およびボールが離れる直前におけるヘッド本体１２の形状の変化を示す説明図である。
なお、図１２（Ｂ）、図１３において実線は打球直後におけるヘッド本体１２の形状を示し、二点鎖線はボールが離れる直前におけるヘッド本体１２の形状を示す。
図１２（Ａ）に示す従来のゴルフクラブヘッド１０でボールを打球すると、図１２（Ｂ）に示すようにフェース部１４がリーディングエッジ４２の位置を支点として後方に倒れるように変形する。
これに対して図３に示す本実施の形態のゴルフクラブヘッド１０でボールを打球すると、図１３に示すように倒れ抑制部３８によりフェース部１４のリーディングエッジ４２の位置を支点とする倒れが抑制される一方、弾性変形部４０によりフェース部１４の倒れが促進され、したがって、フェース部１４が弾性変形部４０を支点として後方に倒れるように変形する。
【００２５】
図１４（Ａ）、（Ｂ）は、比較例のゴルフクラブヘッド１０′と本実施の形態のゴルフクラブヘッド１０とのそれぞれにおいて、打球直後からボールがフェース部１４から離れるまでのフェース面１４Ａの位置と打点位置軌跡とを時間経過と共に測定した結果の一例を示す図である。図中、符号Ｐｉが打点位置を示し、打点位置Ｐｉを接続する線が打点位置軌跡を示す。
図中、フェース面１４Ａの位置は時間経過と共に紙面の右方から左方に移動している。
図１４（Ａ）に示すように、比較例では、フェース部１４がリーディングエッジ４２の位置を支点として後方に倒れることから、打点位置軌跡が時間経過と共に下方に移動することがわかる。
ここで、ボールがフェース面１４Ａから離れる直前におけるロフト角が２８．８°であり、打点位置の軌道によって変化するロフト角の変化量が−３．６°である。
【００２６】
一方、図１４（Ｂ）に示すように、本実施の形態では、フェース部１４が弾性変形部４０を支点として後方に倒れることから、フェース部１４が後方に倒れると同時に上方にも変位することから、打点位置軌跡が時間経過と共に下方に移動する距離が極めて少ないことがわかる。
ここで、ボールがフェース面１４Ａから離れる直前におけるロフト角が２７．７°であり、打点位置の軌道によって変化するロフト角の変化量が−０．７°である。
したがって、打ち出し角＝ロフト角＋ロフト角の変化量とすると、比較例と本実施の形態とでは打ち出し角が以下の通りとなる。
比較例の打ち出し角    ＝２８．８°＋（−３．６°）＝２５．２°
実施の形態の打ち出し角＝２７．７°＋（−０．７°）＝２７．０°
上記のように本実施の形態のゴルフクラブヘッド１０では、比較例に比べて打ち出し角を確保する上で有利となることがわかる。
また、本実施の形態のゴルフクラブヘッド１０では、打点位置軌跡が時間経過と共に下方に移動する距離が極めて少ないため、フェース面１４Ａからボールに作用するギア効果が抑制され、ボールに対して付与されるバックスピン量を適切に制御できることから、打球されたボールの吹き上がりを抑制する有利となる。
したがって、打ち出し角を高く確保しバックスピン量を適切に制御することにより飛距離の向上を図る上で有利となる。
【００２７】
次に、ゴルフクラブヘッド１０の各部の規定について説明する。
（薄肉部）
図３に示すように、本実施の形態では、弾性変形部４０は、弾性変形部４０が設けられていないソール部２４の箇所の肉厚Ｔの２５％以上５０％以下の肉厚ｔの薄肉部２４０２で形成されている。
薄肉部２４０２の肉厚ｔが上記範囲内であると、フェース部１４が弾性変形部４０を支点として倒れる量を確保できるため、打ち出し角を高く確保しバックスピン量を適切に制御することにより飛距離の向上を図る上でより有利となる。
薄肉部２４０２の肉厚ｔが上記範囲を下回ると、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
薄肉部２４０２の肉厚ｔが上記範囲を上回ると、フェース部１４が弾性変形部４０を支点として倒れる量を確保しにくく、打ち出し角を高く確保しバックスピン量を適切に制御することにより飛距離の向上を図る効果が低下する。
【００２８】
（溝）
また、ソール部２４にトウヒール方向に延在する溝４４が形成され、薄肉部２４０２は溝４４の底部で構成されている。
なお、溝４４は、ソール部２４の上面２４Ｂに形成しても、ソール面２４Ａに形成しても両側に形成してもよい。
また、溝４４の前後方向の幅が１ｍｍ以上７ｍｍ以下とされている。
溝４４の幅Ｗｇが上記範囲内であると、フェース部１４が弾性変形部４０を支点として倒れる量を確保できるため、打ち出し角を高く確保しバックスピン量を適切に制御することにより飛距離の向上を図る上でより有利となる。
溝４４の幅Ｗｇが上記範囲を下回ると、フェース部１４が弾性変形部４０を支点として倒れる量を確保しにくく、打ち出し角を高く確保しバックスピン量を適切に制御することにより飛距離の向上を図る効果が低下する。
溝４４の幅Ｗｇが上記範囲を上回ると、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
【００２９】
また、溝４４の深さＤｇが１ｍｍ以上６ｍｍ以下とされている。
溝４４の深さＤｇが上記範囲内であると、フェース部１４が弾性変形部４０を支点として倒れる量を確保できるため、打ち出し角を高く確保しバックスピン量を適切に制御することにより飛距離の向上を図る上でより有利となる。
溝４４の深さＤｇが上記範囲を下回ると、フェース部１４が弾性変形部４０を支点として倒れる量を確保しにくく、打ち出し角を高く確保しバックスピン量を適切に制御することにより飛距離の向上を図る効果が低下する。
溝４４の深さＤｇが上記範囲を上回ると、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
【００３０】
（弾性変形部４０の長さ）
図１、図３に示すように、ゴルフクラブヘッド１０の基準状態で、弾性変形部４０は、フェース中心基準断面Ｐｆｃを中心としてトウヒール方向に延在し、弾性変形部４０のトウヒール方向に沿った長さＬを３０ｍｍ以上とした。なお、弾性変形部４０の長さＬの上限は、ソール部２４のトウヒール方向の長さとなる。
弾性変形部４０の長さＬが３０ｍｍ以上であれば、フェース部１４が弾性変形部４０を支点として倒れる量を確保できるため、打ち出し角を高く確保しバックスピン量を適切に制御することにより飛距離の向上を図る上でより有利となる。
弾性変形部４０の長さＬが３０ｍｍを下回ると、フェース部１４が弾性変形部４０を支点として倒れる量を確保しにくく、打ち出し角を高く確保しバックスピン量を適切に制御することにより飛距離の向上を図る効果が低下する。
【００３１】
（弾性変形部４０の前後方向の位置）
図３に示すように、ゴルフクラブヘッド１０の基準状態で、フェース中心基準断面Ｐｆｃにおいて、リーディングエッジ４２と弾性変形部４０を水平面ＨＰに投影したとき、リーディングエッジ４２から後方に１０ｍｍ以上３０ｍｍ以下の範囲内に弾性変形部４０が位置するようにした。
弾性変形部４０の前後方向の位置が上記範囲内であると、フェース部１４が弾性変形部４０を支点として倒れる量を確保できるため、打ち出し角を高く確保しバックスピン量を適切に制御することにより飛距離の向上を図る上でより有利となる。
弾性変形部４０の前後方向の位置が上記範囲を下回ると、フェース部１４と弾性変形部４０との距離が近すぎるため、打球時におけるフェース面１４Ａ上における打点位置軌跡が時間経過と共に下方に移動する距離が大きくなるため、ボールに付与するバックスピン量を抑制する効果が低下し飛距離を確保する効果が低下する。
弾性変形部４０の前後方向の位置が上記範囲を上回ると、フェース部１４が弾性変形部４０を支点として倒れる量が低下するため、打ち出し角を確保する効果が低下し飛距離を確保する効果が低下する。
【００３２】
（弾性変形部４０の上下方向の位置）
図３に示すように、ゴルフクラブヘッド１０の基準状態で、フェース中心基準断面Ｐｆｃおよび水平面ＨＰと直交する平面を基準鉛直面ＶＰとし、弾性変形部４０を基準鉛直に投影したとき、弾性変形部４０を水平面ＨＰから上方に０ｍｍ以上１８ｍｍ以下の範囲内に位置するようにした。なお、弾性変形部４０の上下方向の位置の下限は、水平面ＨＰから上方に０ｍｍの位置である。
弾性変形部４０の上下方向の位置が上記範囲内であると、打球時におけるフェース面１４Ａ上における打点位置軌跡が時間経過と共に下方に移動する距離を確実に抑制できるため、ボールに付与するバックスピン量を抑制でき、飛距離を確保する上でより有利となる。
弾性変形部４０の上下方向の位置が上記範囲を上回ると、打球時におけるフェース面１４Ａ上における打点位置軌跡が時間経過と共に下方に移動する距離を抑制しにくくなるため、ボールに付与するバックスピン量を抑制する効果が低下し飛距離を確保する効果が低下する。
【００３３】
（フェース面上重心点高さＦＧＨ）
図３に示すように、ゴルフクラブヘッド１０の基準状態で、ゴルフクラブヘッド１０の重心点Ｇ０を通るフェース面１４Ａの法線がフェース面１４Ａを交差する点をフェース面上重心点ＦＧとし、水平面ＨＰからのフェース面上重心点までの高さをフェース面上重心点高さＦＧＨとする。
また、フェース中心基準断面Ｐｆｃにおいて、水平面ＨＰからヘッド本体１２の最も上方に位置する箇所までの高さをヘッド高さＨｈとしたとき、フェース面上重心点高さＦＧＨをヘッド高さＨｈの４０％以上６０％以下とした。
フェース面上重心点高さＦＧＨが上記範囲内であると、打点とフェース面上重心点高さＦＧＨとを近接させる上で有利となり、ボールに付与するバックスピン量を適切に制御でき、飛距離を確保する上でより有利となる。
フェース面上重心点高さＦＧＨが上記範囲を下回ると、打点がフェース面上重心点高さＦＧＨよりも上方の位置となりやすくなり、打球時にゴルフクラブヘッド１０が重心点を中心に上向きに回転することで生じるギア効果がボールに作用することから、バックスピン量が低下して飛距離を確保する効果が低下する。
フェース面上重心点高さＦＧＨが上記範囲を上回ると、打点がフェース面上重心点高さＦＧＨよりも下方の位置となりやすくなり、打球時にゴルフクラブヘッド１０が重心点を中心に下向きに回転することでフェース面１４Ａが下向きになる。
そのため、打球時におけるフェース面１４Ａ上における打点位置軌跡が時間経過と共に下方に移動する距離を抑制しにくくなるため、ボールに付与するバックスピン量を抑制する効果が低下し飛距離を確保する効果が低下する。
【００３４】
（ウェイト部２２の質量）
前述したように、弾性変形部４０よりも後方のヘッド本体１２の箇所に、ヘッド本体１２の全体の質量の１０％以上３０％未満の質量を有するウェイト部２２を設けた。
ウェイト部２２の質量が上記範囲内であると、打球時のウェイト部２２の慣性力により弾性変形部４０の変形が促進されるため、打球時におけるフェース面１４Ａ上における打点位置軌跡が時間経過と共に下方に移動する距離を確実に抑制できるため、ボールに付与するバックスピン量を抑制でき、飛距離を確保する上でより有利となる。
ウェイト部２２の質量が上記範囲を下回ると、打球時のウェイト部２２の慣性力が低下するため、弾性変形部４０の変形が促進されにくくなり、打球時におけるフェース面１４Ａ上における打点位置軌跡が時間経過と共に下方に移動する距離を抑制しにくくなるため、ボールに付与するバックスピン量を抑制する効果が低下し飛距離を確保する効果が低下する。
ウェイト部２２の質量が上記範囲を上回ると、打球時のウェイト部２２の慣性力が過剰となるため、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
【００３５】
（第２の実施の形態）
次に第２の実施の形態について図１５を参照して説明する。なお、以下の実施の形態では、第１の実施の形態と同様の部分、部材については第１の実施の形態と同一の符号を付してその説明を省略し、異なる部分について重点的に説明する。
第２の実施の形態は、ゴルフクラブヘッド１０の形状が中空構造でない点が第１の実施の形態と異なっている。
フェース部１４の裏面１４Ｂの上部に沿ってトウヒール方向に延在する周縁部１７Ａが形成され、この周縁部１７Ａの部分でブレード部１８が形成されている。
また、周縁部１７Ａの両端からフェース部１４の裏面１４Ｂのトウヒール方向の両側部に沿って延在しウェイト部２２のトウヒール方向の両側に接続する周縁部１７Ｂが形成されている。
ソール部２４は、フェース部１４の下部から後方に延在し、ソール部２４の下面がソール面２４Ａとなっている。
ウェイト部２２は、弾性変形部４０よりも後方に位置するソール部２４の後部から上方に膨出形成され、トウヒール方向に延在形成されている。
また、フェース部１４、周縁部１７Ａ、１７Ｂ、ウェイト部２２で囲まれた空間でキャビティ部３０が構成されている。
【００３６】
第１の実施の形態と同様に、ヘッド本体１２に倒れ抑制部３８および弾性変形部４０が設けられている。
第２の実施の形態では、倒れ抑制部３８は、フェース裏面１４Ｂとソール部２４の上面とにわたって設けられトウヒール方向に延在する支持壁部４６で構成されている。
弾性変形部４０は、支持壁部４６とソール部２４の上面２４Ｂとが接続された箇所の後方に位置するソール部２４の箇所に設けられている。
弾性変形部４０は、第１の実施の形態と同様に、弾性変形部４０が設けられていないソール部２４の箇所の肉厚Ｔの２５％以上５０％以下の肉厚ｔの薄肉部２４０２で形成されている。
【００３７】
また、弾性変形部４０の長さＬ、弾性変形部４０の前後方向の位置、弾性変形部４０の上下方向の位置、フェース面上重心点高さＦＧＨ、ウェイト部２２の質量は、第１の実施の形態と同様に規定される。
このような第２の実施の形態においても、第１の実施の形態と同様に、ボールの打球時において、倒れ抑制部３８によりフェース部１４のリーディングエッジ４２の位置を支点とする倒れが抑制される一方、フェース部１４が弾性変形部４０を支点として後方に倒れるように変形する。
したがって、フェース面１４Ａからボールに作用するギア効果が抑制されるので、打ち出し角を高く確保しバックスピン量を適切に制御することにより飛距離の向上を図る上で有利となる。
【００３８】
（第３の実施の形態）
次に第３の実施の形態について説明する。
第３の実施の形態は、ゴルフクラブヘッド１０が中空構造のユーティリティ型のゴルフクラブヘッドである場合について説明する。
図１６から図１８に示すように、ヘッド本体１２は、フェース部１４と、クラウン部３６と、ソール部２４と、サイド部２０と、ウェイト部２２と、ホーゼル２６とを備えている。
フェース部１４は、上下の高さを有して左右に延在している。
クラウン部３６は、フェース部１４の上部から後方に延在している。
ソール部２４は、フェース部１４の下部から後方に延在している。
サイド部２０は、クラウン部３６とソール部２４の間でフェース部１４のトウ側縁とヒール側縁との間をフェースバック４８を通って延在している。
ヘッド本体１２は、それらフェース部１４とクラウン部３６とソール部２４とサイド部２０とで囲まれた内部が中空部３１とされた中空構造を呈している。
クラウン部３６には、フェース面１４Ａ側でかつヒール３４寄りの位置にシャフトＳに接続するホーゼル２６が設けられている。
ウェイト部２２は、後述する弾性変形部４０よりも後方のヘッド本体１２の箇所に設けられ、ヘッド本体１２の全体の質量の１０％以上３０％未満の質量を有している。
本実施の形態では、ウェイト部２２は、弾性変形部４０よりも後方に位置するヘッド本体１２の部分で構成され、トウヒール方向に延在している。
【００３９】
ヘッド本体１２に倒れ抑制部３８および弾性変形部４０が設けられている。
倒れ抑制部３８は、フェース部１４寄りに位置するサイド部２０の部分で形成されている。
【００４０】
弾性変形部４０は、倒れ抑制部３８の後方に位置するクラウン部３６の箇所に設けられている。
すなわち、倒れ抑制部３８の後方に位置するクラウン部３６の箇所に、クラウン部３６の上面箇所が、残りのクラウン部３６の箇所に比べて最も低位に位置しトウヒール方向に延在する低位壁部３６０２が設けられている。
そして、低位壁部３６０２の前端から起立しトウヒール方向に延在する前壁部３６０４と、低位壁部３６０２の後端から起立しトウヒール方向に延在する後壁部３６０６とが設けられている。
弾性変形部４０は、前壁部３６０４と低位壁部３６０２との境の箇所および後壁部３６０６と低位壁部３６０２との境の箇所とを含んで構成されている。
【００４１】
（前壁部３６０４と後壁部３６０６との間の幅）
本実施の形態では、前壁部３６０４と後壁部３６０６との間の幅Ｗｋを３ｍｍ以上６ｍｍ以下とした。
前壁部３６０４と後壁部３６０６との間の幅Ｗｋが上記範囲内であると、フェース部１４が弾性変形部４０を支点として倒れる量を確保できるため、打ち出し角を高く確保しバックスピン量を適切に制御することにより飛距離の向上を図る上でより有利となる。
前壁部３６０４と後壁部３６０６との間の幅Ｗｋが上記範囲を下回ると、フェース部１４が弾性変形部４０を支点として倒れる量を確保しにくく、打ち出し角を高く確保しバックスピン量を適切に制御することにより飛距離の向上を図る効果が低下する。
前壁部３６０４と後壁部３６０６との間の幅Ｗｋが上記範囲を上回ると、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
【００４２】
（前壁部３６０４の上端から低位壁部３６０２までの深さ）
また、前壁部３６０４の上端から低位壁部３６０２までの深さＤｋを２ｍｍ以上６ｍｍ以下とした。
前壁部３６０４の上端から低位壁部３６０２までの深さＤｋが上記範囲内であると、フェース部１４が弾性変形部４０を支点として倒れる量を確保できるため、打ち出し角を高く確保しバックスピン量を適切に制御することにより飛距離の向上を図る上でより有利となる。
前壁部３６０４の上端から低位壁部３６０２までの深さＤｋが上記範囲を下回ると、フェース部１４が弾性変形部４０を支点として倒れる量を確保しにくく、打ち出し角を高く確保しバックスピン量を適切に制御することにより飛距離の向上を図る効果が低下する。
前壁部３６０４の上端から低位壁部３６０２までの深さＤｋが上記範囲を上回ると、弾性変形部４０の変形が大きくなりすぎ、打球時におけるフェース面１４Ａ上における打点位置軌跡が時間経過と共に下方に移動する距離を抑制しすぎるため、ボールに付与するバックスピン量が抑制されすぎ、飛距離を確保する効果が低下する。
【００４３】
また、弾性変形部４０の長さ、弾性変形部４０の前後方向の位置、弾性変形部４０の上下方向の位置、フェース面上重心点高さＦＧＨ、ウェイト部２２の質量は、第１の実施の形態と同様に規定される。
このような第３の実施の形態においても、第１の実施の形態と同様に、ボールの打球時において、フェース面１４Ａからボールに作用するギア効果が抑制されるので、打ち出し角を高く確保しバックスピン量を適切に制御することにより飛距離の向上を図る上で有利となる。
【００４４】
なお、以上の実施の形態では、ヘッド本体１２が金属材料で構成される構造である場合について説明したが、本発明は、以下に説明するように、ヘッド本体１２が、金属と、炭素繊維強化合成樹脂（ＣＦＲＰ:Carbon Fiber Reinforced Plastics）などの非金属材料とで構成された複合構造のものであってもよい。
すなわち、図２５に示すように、ヘッド本体１２は中空構造であり、クラウン部３６は、開口部３７が形成され、開口部３７は、クラウン部３６のフェース部寄りの箇所からフェースバック寄りの箇所にわたって、また、クラウン部３６のトウ寄りの箇所からヒール寄りの箇所にわたって設けられている。
クラウン部３６は、開口部３７の外周に接合されることで開口部３７を覆うカバー部材５０を有している。カバー部材５０とヘッド本体１２との接合は接着剤により接着されることでなされている。
ヘッド本体１２は、金属材料で形成され、カバー部材５０は、ヘッド本体１２よりも剛性が低い低剛性材料で形成されている。
このような低剛性材料として、カーボンファイバー（炭素繊維強化樹脂材料）などの繊維強化樹脂材料や従来公知の様々な材料が使用可能である。
【００４５】
ヘッド本体１２に倒れ抑制部３８および弾性変形部４０が設けられている。
倒れ抑制部３８は、フェース部１４寄りに位置するサイド部２０の部分で形成されている。
【００４６】
弾性変形部４０は、倒れ抑制部３８の後方に位置するクラウン部３６の箇所に設けられている。
すなわち、倒れ抑制部３８の後方に位置するクラウン部３６のうち、カバー部材５０を除く箇所に、言い換えると、カバー部材５０に隣接するトウ寄りのクラウン部３６の箇所と、カバー部材５０に隣接するヒール寄りのクラウン部３６の箇所に、低位壁部３６０２と、前壁部３６０４と、後壁部３６０６とが設けられている。
低位壁部３６０２は、クラウン部３６の上面箇所が、残りのクラウン部３６の箇所に比べて最も低位に位置しトウヒール方向に延在する。
前壁部３６０４は、低位壁部３６０２の前端から起立しトウヒール方向に延在する。
後壁部３６０６は、低位壁部３６０２の後端から起立しトウヒール方向に延在する。
弾性変形部４０は、前壁部３６０４と低位壁部３６０２との境の箇所および後壁部３６０６と低位壁部３６０２との境の箇所とを含んで構成されている。
このような複合構造のヘッド本体１２を備えるゴルフクラブヘッドにおいても上述した実施の形態と同様の効果が奏される。
【００４７】
以下、本発明の実験例について説明する。
図１９、図２０、図２１は、本発明に係るゴルフクラブヘッド１０の実験結果を示す図である。
試料となるゴルフクラブヘッド１０を各実験例毎に作成し、後述する４つの評価項目を測定し指数（評価点）を求めると共に、４つの指数の合計点を求めた。
【００４８】
（１）打ち出し角
ゴルフクラブヘッド１０を備えたゴルフクラブをスイングロボットに設置し、以下の条件で実打試験を行い９打点における打ち出し角を測定し、打ち出し角の平均値を指数で評価した。実験例１の指数を１００とし、指数が大きいほど打ち出し角が大きく評価が良いことを示す。
ヘッドスピード：４０ｍ／ｓ
打点位置は、以下の合計９打点とし、各打点で５回ずつボールを打撃した。
フェース面１４Ａの中心点Ｐｃと、中心点Ｐｃを通りフェースセンターラインＣＬと直交する直線上で中心点Ｐｃからトウ方向に７ｍｍ離間した点と、ヒール方向に７ｍｍ離間した点の３打点。
フェースセンターラインＣＬ上で中心点Ｐｃからクラウン部３６方向に５ｍｍ離間した点と、この点を通りフェースセンターラインＣＬと直交する上５ｍｍライン上で、上記点からトウ方向に７ｍｍ離間した点と、ヒール方向に７ｍｍ離間した点の３打点。
フェースセンターラインＣＬ上で中心点Ｐｃからソール部２４方向に５ｍｍ離間した点と、この点を通りフェースセンターラインＣＬと直交する下５ｍｍライン上で、上記点からトウ方向に７ｍｍ離間した点と、ヒール方向に７ｍｍ離間した点の３打点。
実験例１の指数を１００とし、指数が大きいほど反発性が高く評価が良いことを示す。
【００４９】
（２）スピン量
上記打点位置での実打試験で得られたスピン量（バックスピン量）に基いて、実験例１の指数を１００とし、指数が大きいほどスピン量が大きく評価が良いことを示す。
【００５０】
（３）初速
上記打点位置での実打試験で得られた初速の平均値を指数で評価した。実験例１の指数を１００とし指数が大きいほど初速が速く、評価が良いことを示す。
【００５１】
（４）飛距離
上記打点位置での実打試験で得られた飛距離の平均値を指数で評価した。実験例１の指数を１００とし指数が大きいほど飛距離が大きく、評価が良いことを示す。
【００５２】
（５）合計点
上述した打ち出し角、スピン量、初速、飛距離の４つの指数を合計したものを合計点とした。
実験例１の合計点を４００とし合計点が大きいほど評価が良いことを示す。
【００５３】
次に図１９、図２０を参照しつつ実験例１〜３８について説明する。
実験例１は、図１２に示すように、比較例に相当するものであり、本発明の請求項１の規定を満たさないものである。
実験例２から実験例３４は、本発明の範囲内であり、請求項１を満たすものである。
【００５４】
実験例２は、図２２（Ａ）に示すように、第１の実施の形態のアイアン型のゴルフクラブヘッドに相当するものであり、請求項１、２、３、４、７〜１１の全てを満たすものである。
したがって、打ち出し角１４０、スピン量１４０、初速１００、飛距離１４０、合計点５２０となっており、全ての評価が高いものとなっている。
【００５５】
実験例３は、第３の実施の形態のユーティリティ型のゴルフクラブヘッドに相当するものであり、請求項１、２、５、６、７〜１１の全てを満たすものである。
したがって、打ち出し角１４０、スピン量１４０、初速１００、飛距離１４０、合計点５２０となっており、全ての評価が高いものとなっている。
【００５６】
実験例４は、図２２（Ｂ）に示すように、第１の実施の形態のアイアン型のゴルフクラブヘッドに相当するものであり、請求項１、２、３、４、７〜１１のうち請求項４を満たさないものである。
すなわち、溝４４の深さＤｇが８ｍｍであり、請求項４の１ｍｍ以上６ｍｍ以下の範囲を上回っている。
したがって、打ち出し角１００、スピン量１０６、初速１０２、飛距離１０２、合計点４１０となっており、全ての評価が実験例１以上であるものの、実験例２に比較すると評価が低いものとなっている。
【００５７】
実験例５は、第１の実施の形態のアイアン型のゴルフクラブヘッドに相当するものであり、請求項１、２、３、４、７〜１１のうち請求項４を満たさないものである。
すなわち、溝４４の前後方向の幅Ｗｇが９ｍｍであり、請求項４の１ｍｍ以上７ｍｍ以下の範囲を上回っている。
また、溝４４の深さＤｇが８ｍｍであり、請求項４の１ｍｍ以上６ｍｍ以下の範囲を上回っている。
したがって、打ち出し角１００、スピン量１０５、初速１０３、飛距離１０１、合計点４０９となっており、全ての評価が実験例１以上であるものの、実験例２に比較すると評価が低いものとなっている。
【００５８】
実験例６は、第１の実施の形態のアイアン型のゴルフクラブヘッドに相当するものであり、請求項１、２、３、４、７〜１１の全てを満たしている。
ただし、溝４４の前後方向の幅Ｗｇが３ｍｍであり、請求項４の１ｍｍ以上７ｍｍ以下の範囲の下限値に近い。
また、溝４４の深さＤｇが２ｍｍであり、請求項４の１ｍｍ以上６ｍｍ以下の範囲の下限値に近い。
したがって、打ち出し角１３８、スピン量１３５、初速１００、飛距離１２４、合計点４９７となっており、打ち出し角、スピン量、飛距離、合計点の評価が請求項４を満たさない実験例４、５を上回っている。
【００５９】
実験例７は、第１の実施の形態のアイアン型のゴルフクラブヘッドに相当するものであり、請求項１、２、３、４、７〜１１の全てを満たしている。
ただし、溝４４の前後方向の幅Ｗｇが７ｍｍであり、請求項４の１ｍｍ以上７ｍｍ以下の範囲の上限値である。
また、溝４４の深さＤｇが６ｍｍであり、請求項４の１ｍｍ以上６ｍｍ以下の範囲の上限値である。
したがって、打ち出し角１４１、スピン量１３７、初速１００、飛距離１２６、合計点５０４となっており、打ち出し角、スピン量、飛距離、合計点の評価が請求項４を満たさない実験例４、５を上回っている。
【００６０】
実験例８は、図２２（Ｃ）に示すように、第１の実施の形態のアイアン型のゴルフクラブヘッドに相当するものであり、請求項１、２、３、４、７〜１１のうち請求項４を満たさないものである。
すなわち、溝４４の前後方向の幅Ｗｇが９ｍｍであり、請求項４の１ｍｍ以上７ｍｍ以下の範囲を上回っている。
したがって、打ち出し角１００、スピン量１１１、初速１００、飛距離１０２、合計点４１３となっており、全ての評価が実験例１以上であるものの、実験例２に比較すると評価が低いものとなっている。
【００６１】
実験例９は、第１の実施の形態のアイアン型のゴルフクラブヘッドに相当するものであり、請求項１、２、３、４、７〜１１のうち請求項４を満たさないものである。
すなわち、溝４４の深さＤｇが８ｍｍであり、請求項４の１ｍｍ以上６ｍｍ以下の範囲を上回っている。
したがって、打ち出し角１００、スピン量１１５、初速１００、飛距離１０５、合計点４２０となっており、全ての評価が実験例１以上であるものの、実験例２に比較すると評価が低いものとなっている。
【００６２】
実験例１０は、図２２（Ｄ）に示すように、第３の実施の形態のユーティリティ型のゴルフクラブヘッドに相当するものであり、請求項１、２、５、６、７〜１１のうち請求項６を満たさないものである。
すなわち、前壁部３６０４の上端から低位壁部３６０２までの深さＤｋが１ｍｍであり、請求項６の２ｍｍ以上６ｍｍ以下の範囲を下回っている。
また、前壁部３６０４と後壁部３６０６との間の幅Ｗｋが２ｍｍであり、３ｍｍ以上６ｍｍ以下の範囲を下回っている。
したがって、打ち出し角１０５、スピン量１０５、初速１００、飛距離１０３、合計点４１３となっており、全ての評価が実験例１以上であるものの、実験例３に比較すると評価が低いものとなっている。
【００６３】
実験例１１は、図２２（Ｅ）に示すように、第３の実施の形態のユーティリティ型のゴルフクラブヘッドに相当するものであり、請求項１、２、５、６、７〜１１のうち請求項６を満たさないものである。
すなわち、前壁部３６０４の上端から低位壁部３６０２までの深さＤｋが７ｍｍであり、請求項６の２ｍｍ以上６ｍｍ以下の範囲を上回っている。
また、前壁部３６０４と後壁部３６０６との間の幅Ｗｋが８ｍｍであり、３ｍｍ以上６ｍｍ以下の範囲を上回っている。
したがって、打ち出し角１０２、スピン量１０５、初速１００、飛距離１０２、合計点４０９となっており、全ての評価が実験例１以上であるものの、実験例３に比較すると評価が低いものとなっている。
【００６４】
実験例１２は、第３の実施の形態のユーティリティ型のゴルフクラブヘッドに相当するものであり、請求項１、２、５、６、７〜１１の全てを満たしている。
ただし、前壁部３６０４と後壁部３６０６との間の幅Ｗｋが６ｍｍであり、３ｍｍ以上６ｍｍ以下の範囲の上限値となっている。
したがって、打ち出し角１３２、スピン量１３２、初速１００、飛距離１２１、合計点４８５となっており、打ち出し角、スピン量、初速、飛距離、合計点の評価が請求項６を満たさない実験例１０、１１を上回っている。
【００６５】
実験例１３は、第３の実施の形態のユーティリティ型のゴルフクラブヘッドに相当するものであり、請求項１、２、５、６、７〜１１の全てを満たしている。
ただし、前壁部３６０４の上端から低位壁部３６０２までの深さＤｋが６ｍｍであり、請求項６の２ｍｍ以上６ｍｍ以下の範囲の上限値である。
したがって、打ち出し角１３２、スピン量１３２、初速１００、飛距離１２１、合計点４８５となっており、打ち出し角、スピン量、初速、飛距離、合計点の評価が請求項６を満たさない実験例１０、１１を上回っている。
【００６６】
実験例１４は、図２３（Ａ）に示すように、第３の実施の形態のユーティリティ型のゴルフクラブヘッドに相当するものであり、請求項１、２、５、６、７〜１１のうち請求項６を満たさないものである。
すなわち、前壁部３６０４と後壁部３６０６との間の幅Ｗｋが１ｍｍであり、３ｍｍ以上６ｍｍ以下の範囲を下回っている。
したがって、打ち出し角１０４、スピン量１０３、初速１００、飛距離１０２、合計点４０９となっており、全ての評価が実験例１以上であるものの、実験例３に比較すると評価が低いものとなっている。
【００６７】
実験例１５は、図２３（Ｂ）に示すように、第３の実施の形態のユーティリティ型のゴルフクラブヘッドに相当するものであり、請求項１、２、５、６、７〜１１のうち請求項６を満たさないものである。
すなわち、前壁部３６０４の上端から低位壁部３６０２までの深さＤｋが７ｍｍであり、請求項６の２ｍｍ以上６ｍｍ以下の範囲を上回っている。
したがって、打ち出し角１０９、スピン量１０７、初速１００、飛距離１０５、合計点４２１となっており、全ての評価が実験例１以上であるものの、実験例３に比較すると評価が低いものとなっている。
【００６８】
実験例１６は、第１の実施の形態のアイアン型のゴルフクラブヘッドに相当するものであり、請求項１、２、３、４、７〜１１のうち請求項７を満たさないものである。
すなわち、弾性変形部４０の長さＬが２０ｍｍであり、請求項７の３０ｍｍ以上の規定を下回っている。
したがって、打ち出し角１０４、スピン量１０３、初速１００、飛距離１０２、合計点４０９となっており、全ての評価が実験例１以上であるものの、実験例２に比較すると評価が低いものとなっている。
【００６９】
実験例１７は、第１の実施の形態のアイアン型のゴルフクラブヘッドに相当するものであり、請求項１、２、３、４、７〜１１のうち請求項７を満たさないものである。
すなわち、弾性変形部４０の長さＬが２５ｍｍであり、請求項７の３０ｍｍ以上の規定を下回っている。
したがって、打ち出し角１２５、スピン量１２３、初速１００、飛距離１２２、合計点４７０となっており、全ての評価が実験例１以上であるものの、実験例２に比較すると評価が低いものとなっている。ただし、実験例１６（長さＬ＝２０ｍｍ）よりも各評価の数値が向上している。
【００７０】
実験例１８は、第１の実施の形態のアイアン型のゴルフクラブヘッドに相当するものであり、請求項１、２、３、４、７〜１１の全てを満たすものである。
すなわち、弾性変形部４０の長さＬが３５ｍｍであり、請求項７の３０ｍｍ以上の規定を満たしている。
したがって、打ち出し角１４０、スピン量１４０、初速１００、飛距離１４０、合計点５２０となっており、全ての評価が実験例２と同等となっている。
【００７１】
実験例１９は、第１の実施の形態のアイアン型のゴルフクラブヘッドに相当するものであり、請求項１、２、３、４、７〜１１の全てを満たすものである。
すなわち、弾性変形部４０の長さＬが５０ｍｍであり、請求項７の３０ｍｍ以上の規定を満たしている。
したがって、打ち出し角１４０、スピン量１４０、初速１００、飛距離１４０、合計点５２０となっており、全ての評価が実験例２と同等となっている。
【００７２】
実験例２０は、第１の実施の形態のアイアン型のゴルフクラブヘッドに相当するものであり、請求項１、２、３、４、７〜１１のうち請求項８を満たさないものである。
すなわち、ウェイト部２２の質量Ｗｗ／ヘッド本体の質量Ｗｈが５％であり、請求項８の１０％以上３０％以下の範囲を下回っている。
したがって、打ち出し角１１０、スピン量１１０、初速１００、飛距離１０７、合計点４２７となっており、全ての評価が実験例１以上であるものの、実験例２に比較すると評価が低いものとなっている。
【００７３】
実験例２１は、第１の実施の形態のアイアン型のゴルフクラブヘッドに相当するものであり、請求項１、２、３、４、７〜１１のうち請求項８を満たさないものである。
すなわち、ウェイト部２２の質量Ｗｗ／ヘッド本体の質量Ｗｈが３５％であり、請求項８の１０％以上３０％以下の範囲を上回っている。
したがって、打ち出し角１２０、スピン量１０９、初速１００、飛距離１０６、合計点４３５となっており、全ての評価が実験例１以上であるものの、実験例２に比較すると評価が低いものとなっている。
【００７４】
実験例２２は、第１の実施の形態のアイアン型のゴルフクラブヘッドに相当するものであり、請求項１、２、３、４、７〜１１の全てを満たしている。
ただし、ウェイト部２２の質量Ｗｗ／ヘッド本体の質量Ｗｈが１０％であり、請求項８の１０％以上３０％以下の範囲の下限値である。
したがって、打ち出し角１２３、スピン量１２３、初速１００、飛距離１１５、合計点４６１となっており、打ち出し角、スピン量、初速、飛距離、合計点の評価が請求項８を満たさない実験例２０、２１を上回っている。
【００７５】
実験例２３は、第１の実施の形態のアイアン型のゴルフクラブヘッドに相当するものであり、請求項１、２、３、４、７〜１１の全てを満たしている。
ただし、ウェイト部２２の質量Ｗｗ／ヘッド本体の質量Ｗｈが３０％であり、請求項８の１０％以上３０％以下の範囲の上限値である。
したがって、打ち出し角１２５、スピン量１２５、初速１００、飛距離１１７、合計点４６７となっており、打ち出し角、スピン量、初速、飛距離、合計点の評価が請求項８を満たさない実験例２０、２１を上回っている。
【００７６】
実験例２４は、図２３（Ｃ）に示すように、第１の実施の形態のアイアン型のゴルフクラブヘッドに相当するものであり、請求項１、２、３、４、７〜１１のうち請求項９を満たさないものである。
すなわち、弾性変形部４０の前後方向の位置（弾性変形部４０の前端の位置）がリーディングエッジ４２から後方に８ｍｍの箇所に位置しており、請求項９のリーディングエッジ４２から後方に１０ｍｍ以上３０ｍｍ以下の範囲を下回っている。
したがって、打ち出し角１２０、スピン量１０５、初速１００、飛距離１０８、合計点４３３となっており、全ての評価が実験例１以上であるものの、実験例２に比較すると評価が低いものとなっている。
【００７７】
実験例２５は、図２３（Ｄ）に示すように、第１の実施の形態のアイアン型のゴルフクラブヘッドに相当するものであり、請求項１、２、３、４、７〜１１のうち請求項９を満たさないものである。
すなわち、弾性変形部４０の前後方向の位置（弾性変形部４０の後端の位置）がリーディングエッジ４２から後方に３２ｍｍの箇所に位置しており、請求項９のリーディングエッジ４２から後方に１０ｍｍ以上３０ｍｍ以下の範囲を上回っている。
したがって、打ち出し角１０９、スピン量１０９、初速１００、飛距離１０６、合計点４２４となっており、全ての評価が実験例１以上であるものの、実験例２に比較すると評価が低いものとなっている。
【００７８】
実験例２６は、第１の実施の形態のアイアン型のゴルフクラブヘッドに相当するものであり、請求項１、２、３、４、７〜１１の全てを満たしている。
ただし、弾性変形部４０の前後方向の位置（弾性変形部４０の前端の位置）がリーディングエッジ４２から後方に１０ｍｍの箇所に位置しており、請求項９のリーディングエッジ４２から後方に１０ｍｍ以上３０ｍｍ以下の範囲の下限値である。
したがって、打ち出し角１３０、スピン量１３０、初速１００、飛距離１２０、合計点４７９となっており、打ち出し角、スピン量、初速、飛距離、合計点の評価が請求項９を満たさない実験例２４、２５を上回っている。
【００７９】
実験例２７は、第１の実施の形態のアイアン型のゴルフクラブヘッドに相当するものであり、請求項１、２、３、４、７〜１１の全てを満たしている。
ただし、弾性変形部４０の前後方向の位置（弾性変形部４０の後端の位置）がリーディングエッジ４２から後方に３０ｍｍの箇所に位置しており、請求項９のリーディングエッジ４２から後方に１０ｍｍ以上３０ｍｍ以下の範囲の上限値である。
したがって、打ち出し角１３２、スピン量１３２、初速１００、飛距離１２１、合計点４８４となっており、打ち出し角、スピン量、初速、飛距離、合計点の評価が請求項９を満たさない実験例２４、２５を上回っている。
【００８０】
実験例２８は、図２３（Ｅ）に示すように、第３の実施の形態のユーティリティ型のゴルフクラブヘッドに相当するものであり、請求項１、２、５、６、７〜１１のうち請求項１０を満たさないものである。
すなわち、弾性変形部４０の上下方向の位置が水平面から２０ｍｍであり、請求項１０の０ｍｍ以上１８ｍｍ以下の範囲を上回っている。
したがって、打ち出し角１１３、スピン量１１３、初速１００、飛距離１０８、合計点４３３となっており、全ての評価が実験例１以上であるものの、実験例３に比較すると評価が低いものとなっている。
【００８１】
実験例２９は、第３の実施の形態のユーティリティ型のゴルフクラブヘッドに相当するものであり、請求項１、２、５、６、７〜１１の全てを満たしている。
ただし、弾性変形部４０の上下方向の位置が水平面から４ｍｍであり、請求項１０の０ｍｍ以上１８ｍｍ以下の範囲のうち下限値寄りの値となっている。
したがって、打ち出し角１３５、スピン量１３５、初速１００、飛距離１２３、合計点４９２となっており、打ち出し角、スピン量、初速、飛距離、合計点の評価が請求項１０を満たさない実験例２８を上回っている。
【００８２】
実験例３０は、第３の実施の形態のユーティリティ型のゴルフクラブヘッドに相当するものであり、請求項１、２、５、６、７〜１１の全てを満たしている。
ただし、弾性変形部４０の上下方向の位置が水平面から１８ｍｍであり、請求項１０の０ｍｍ以上１８ｍｍ以下の範囲の上限値となっている。
したがって、打ち出し角１２７、スピン量１２７、初速１００、飛距離１１８、合計点４７３となっており、打ち出し角、スピン量、初速、飛距離、合計点の評価が請求項１０を満たさない実験例２８を上回っている。
【００８３】
実験例３１は、第１の実施の形態のアイアン型のゴルフクラブヘッドに相当するものであり、請求項１、２、３、４、７〜１１のうち請求項１１を満たさないものである。
すなわち、フェース面上重心点高さＦＧＨがヘッド高さＨｈの３５％であり、請求項１１の４０％以上６０％以下の範囲を下回っている。
したがって、打ち出し角１３８、スピン量１００、初速１００、飛距離１１１、合計点４４９となっており、全ての評価が実験例１以上であるものの、実験例２に比較すると評価が低いものとなっている。
【００８４】
実験例３２は、第１の実施の形態のアイアン型のゴルフクラブヘッドに相当するものであり、請求項１、２、３、４、７〜１１のうち請求項１１を満たさないものである。
すなわち、フェース面上重心点高さＦＧＨがヘッド高さＨｈの６５％であり、請求項１１の４０％以上６０％以下の範囲を上回っている。
したがって、打ち出し角１２５、スピン量１０５、初速１００、飛距離１１０、合計点４４０となっており、全ての評価が実験例１以上であるものの、実験例２に比較すると評価が低いものとなっている。
【００８５】
実験例３３は、第１の実施の形態のアイアン型のゴルフクラブヘッドに相当するものであり、請求項１、２、３、４、７〜１１の全てを満たしている。
ただし、フェース面上重心点高さＦＧＨがヘッド高さＨｈの４０％であり、請求項１１の４０％以上６０％以下の範囲の下限値となっている。
したがって、打ち出し角１３２、スピン量１３２、初速１００、飛距離１２１、合計点４８５となっており、打ち出し角、スピン量、初速、飛距離、合計点の評価が請求項１１を満たさない実験例３１、３２を上回っている。
【００８６】
実験例３４は、第１の実施の形態のアイアン型のゴルフクラブヘッドに相当するものであり、請求項１、２、３、４、７〜１１の全てを満たしている。
ただし、フェース面上重心点高さＦＧＨがヘッド高さＨｈの６０％であり、請求項１１の４０％以上６０％以下の範囲の上限値となっている。
したがって、打ち出し角１３０、スピン量１３０、初速１００、飛距離１２０、合計点４８０となっており、打ち出し角、スピン量、初速、飛距離、合計点の評価が請求項１１を満たさない実験例３１、３２を上回っている。
【００８７】
実験例３５は、図２４（Ａ）に示すように、第１の実施の形態のアイアン型のゴルフクラブヘッドに相当するものであり、請求項１、２、３、４、７〜１１のうち、請求項３を満たしていないものである。
すなわち、弾性変形部４０を構成する薄肉部２４０２の肉厚ｔが、弾性変形部４０が設けられていないソール部２４の箇所の肉厚Ｔの２０％であり、請求項３の２５％以上５０％以下の範囲を下回っている。
したがって、打ち出し角１３０、スピン量１３０、初速１００、飛距離１２０、合計点４８０となっており、全ての評価が実験例１以上であるものの、実験例２に比較すると評価が低いものとなっている。
【００８８】
実験例３６は、図２４（Ｂ）に示すように、第１の実施の形態のアイアン型のゴルフクラブヘッドに相当するものであり、請求項１、２、３、４、７〜１１のうち、請求項３を満たしていないものである。
すなわち、弾性変形部４０を構成する薄肉部２４０２の肉厚ｔが、弾性変形部４０が設けられていないソール部２４の箇所の肉厚Ｔの５５％であり、請求項３の２５％以上５０％以下の範囲を上回っている。
したがって、打ち出し角１１５、スピン量１１３、初速１００、飛距離１１１、合計点４３９となっており、全ての評価が実験例１以上であるものの、実験例２に比較すると評価が低いものとなっている。
【００８９】
実験例３７は、図２４（Ｃ）に示すように、第１の実施の形態のアイアン型のゴルフクラブヘッドに相当するものであり、請求項１、２、３、４、７〜１１のうち、請求項４を満たしていないものである。
すなわち、溝４４の前後方向の幅Ｗｇが０．５ｍｍであり、請求項４の１ｍｍ以上７ｍｍ以下の範囲を下回っている。
したがって、打ち出し角１０９、スピン量１０７、初速１００、飛距離１０５、合計点４２１となっており、全ての評価が実験例１以上であるものの、実験例２に比較すると評価が低いものとなっている。
【００９０】
実験例３８は、図２４（Ｄ）に示すように、第１の実施の形態のアイアン型のゴルフクラブヘッドに相当するものであり、請求項１、２、３、４、７〜１１のうち、請求項４を満たしていないものである。
すなわち、溝４４の深さＤｇが０．５ｍｍであり、請求項４の１ｍｍ以上６ｍｍ以下の範囲を下回っている。
したがって、打ち出し角１３０、スピン量１３０、初速１００、飛距離１２０、合計点４８０となっており、全ての評価が実験例１以上であるものの、実験例２に比較すると評価が低いものとなっている。
【００９１】
以下、各評価項目について検討する。
（１）打ち出し角
本発明の範囲内であり、請求項１、２、３、４、７〜１１の全てを満たす実験例２、６、７、１８、１９、２２、２３、２６、３３、３４、および、請求項１、２、５、６、７〜１１の全ての全てを満たす実験例３、１２、１３、２９、３０は、打ち出し角が１２７〜１４０であり打ち出し角が最も優れている。
本発明の範囲内であり、請求項１の規定を満たすが、請求項２から請求項１１の規定のうち何れかの規定を満たさない実験例４、５、８〜１１、１４〜１７、２０、２１、２４、２５、２８、３１、３２、３５〜３８は、打ち出し角が１００〜１３８であり打ち出し角が次に優れている。
したがって、本発明の範囲内で請求項１、２、３、４、７〜１１の全て、あるいは、請求項１、２、５、６、７〜１１の全てを満たすものは、本発明の範囲外のものに対して打ち出し角の向上を図る効果が優れている。
【００９２】
（２）スピン量
本発明の範囲内であり、請求項１、２、３、４、７〜１１の全てを満たす実験例２、６、７、１８、１９、２２、２３、２６、３３、３４、および、請求項１、２、５、６、７〜１１の全ての全てを満たす実験例３、１２、１３、２９、３０は、スピン量が１２３〜１４０でありスピン量が最も優れている。
本発明の範囲内であり、請求項１の規定を満たすが、請求項２から請求項１１の規定のうち何れかの規定を満たさない実験例４、５、８〜１１、１４〜１７、２０、２１、２４、２５、２８、３１、３２、３５〜３８は、スピン量が１０３〜１３０でありスピン量が次に優れている。
したがって、本発明の範囲内で請求項１、２、３、４、７〜１１の全て、あるいは、請求項１、２、５、６、７〜１１の全てを満たすものは、本発明の範囲外のものに対してスピン量の向上を図る効果が優れている。
【００９３】
（３）初速
本発明の範囲内であり、請求項１、２、３、４、７〜１１の全てを満たす実験例２、６、７、１８、１９、２２、２３、２６、３３、３４、および、請求項１、２、５、６、７〜１１の全ての全てを満たす実験例３、１２、１３、２９、３０は、初速が１００である。
本発明の範囲内であり、請求項１の規定を満たすが、請求項２から請求項１１の規定のうち何れかの規定を満たさない実験例４、５、８〜１１、１４〜１７、２０、２１、２４、２５、２８、３１、３２、３５〜３８は、初速が１００〜１０３である。
したがって、本発明の範囲内のものは、本発明の範囲外のものに対して初速を低下させることはない。
【００９４】
（４）飛距離
本発明の範囲内であり、請求項１、２、３、４、７〜１１の全てを満たす実験例２、６、７、１８、１９、２２、２３、２６、３３、３４、および、請求項１、２、５、６、７〜１１の全ての全てを満たす実験例３、１２、１３、２９、３０は、飛距離が１１５〜１４０であり飛距離が最も優れている。
本発明の範囲内であり、請求項１の規定を満たすが、請求項２から請求項１１の規定のうち何れかの規定を満たさない実験例４、５、８〜１１、１４〜１７、２０、２１、２４、２５、２８、３１、３２、３５〜３８は、飛距離が１０１〜１２２であり飛距離が次に優れている。
したがって、本発明の範囲内で請求項１、２、３、４、７〜１１の全て、あるいは、請求項１、２、５、６、７〜１１の全てを満たすものは、本発明の範囲外のものに対して飛距離の向上を図る効果が優れている。
【００９５】
（５）合計点
本発明の範囲内であり、請求項１、２、３、４、７〜１１の全てを満たす実験例２、６、７、１８、１９、２２、２３、２６、３３、３４、および、請求項１、２、５、６、７〜１１の全ての全てを満たす実験例３、１２、１３、２９、３０は、合計点が４６１〜５２０であり合計点が最も優れている。
本発明の範囲内であり、請求項１の規定を満たすが、請求項２から請求項１１の規定のうち何れかの規定を満たさない実験例４、５、８〜１１、１４〜１７、２０、２１、２４、２５、２８、３１、３２、３５〜３８は、合計点が４０９〜４８０であり合計点が次に優れている。
したがって、本発明の範囲内で請求項１、２、３、４、７〜１１の全て、あるいは、請求項１、２、５、６、７〜１１の全てを満たすものは、本発明の範囲外のものに対して合計点の向上を図る効果が優れている。
【符号の説明】
【００９６】
１０  ゴルフクラブヘッド
１２  ヘッド本体
１４  フェース部
１４Ａ  フェース面
１４Ｂ  裏面
１６  バックフェース部
１８  ブレード部
２０  サイド部
２００２  トウ側サイド部
２００４  ヒール側サイド部
２２  ウェイト部
２４  ソール部
２４Ａ  ソール面
２４Ｂ  上面
２６  ホーゼル
２８  スコアライン
３０  キャビティ部
３１  中空部
３２  トウ
３４  ヒール
３６  クラウン部
３６０２  低位壁部
３６０４  前壁部
３６０６  後壁部
３８  倒れ抑制部
４０  弾性変形部
４２  リーディングエッジ
４４  溝
４６  支持壁部
４８  フェースバック
Ｗｇ  溝の前後方向の幅
Ｄｇ  溝の深さ
Ｗｋ  前壁部と後壁部との間の幅
Ｄｋ  前壁部の上端から低位壁部までの深さ
Ｌ  弾性変形部の長さ
Ｗｗ  ウェイト部の質量
Ｗｈ  ヘッド本体の質量
ＦＧＨ  フェース面上重心点高さ
Ｈｈ  ヘッド高さ
【要約】
【課題】ボールに付与されるバックスピン量を適切に制御し飛距離を向上を図る。
【解決手段】倒れ抑制部３８は、フェース部１４の後方に位置するヘッド本体１２の箇所に設けられ、打球時のフェース部１４の倒れを抑制するものである。弾性変形部４０は、倒れ抑制部３８の後方に位置するヘッド本体１２の箇所に設けられ、フェース部１４の倒れを促進するものであり、弾性変形部４０は、倒れ抑制部３８の後方に位置するソール部２４の箇所に設けられている。ゴルフクラブヘッド１０でボールを打球すると、倒れ抑制部３８によりフェース部１４のリーディングエッジ４２の位置を支点とする倒れが抑制される一方、弾性変形部４０によりフェース部１４の倒れが促進され、したがって、フェース部１４が弾性変形部４０を支点として後方に倒れるように変形する。
【選択図】図３【図１】
0005928643.tif 000002
【図２】
0005928643.tif 000003
【図３】
0005928643.tif 000004
【図４】
0005928643.tif 000005
【図５】
0005928643.tif 000006
【図６】
0005928643.tif 000007
【図７】
0005928643.tif 000008
【図８】
0005928643.tif 000009
【図９】
0005928643.tif 000010
【図１０】
0005928643.tif 000011
【図１１】
0005928643.tif 000012
【図１２】
0005928643.tif 000013
【図１３】
0005928643.tif 000014
【図１４】
0005928643.tif 000015
【図１５】
0005928643.tif 000016
【図１６】
0005928643.tif 000017
【図１７】
0005928643.tif 000018
【図１８】
0005928643.tif 000019
【図１９】
0005928643.tif 000020
【図２０】
0005928643.tif 000021
【図２１】
0005928643.tif 000022
【図２２】
0005928643.tif 000023
【図２３】
0005928643.tif 000024
【図２４】
0005928643.tif 000025
【図２５】
0005928643.tif 000026